(57)【要約】      （修正有）【課題】昇降コードを容易に取り外すことが可能なコード保持装置を提供する。【解決手段】コード保持装置は、昇降コード１１と、ボトムレール７と、保持部材を備え、保持部材は、ボトムレール７内に配置され、昇降コード１１の係止部を保持するコード収容部を有する。ボトムレール７と保持部材との間は、昇降コード１１の係止部が通過可能であり、昇降コード１１の着脱が可能に構成されている。【選択図】図１
2019206889.tif 000002
【特許請求の範囲】
【請求項１】
コードと、形材と、保持部材を備え、
前記保持部材は、前記形材内に配置され、
前記形材と前記保持部材の間は、前記コードの係止部が通過可能に構成されている、コード保持装置。
【請求項２】
請求項１に記載のコード保持装置であって、
前記係止部を保持する保持部を備える、コード保持装置。
【請求項３】
請求項２に記載のコード保持装置であって、
前記保持部は、前記保持部材に設けられる、コード保持装置。
【請求項４】
請求項２又は請求項３に記載のコード保持装置であって、
前記保持部は、スリットに前記コードを挿通させて前記コードを保持するように構成される、コード保持装置。
【請求項５】
請求項２又は請求項３に記載のコード保持装置であって、
前記保持部は、複数の部材の係合によって前記コードを挟持することによって前記コードを保持するように構成される、コード保持装置。
【請求項６】
請求項２又は請求項３に記載のコード保持装置であって、
前記保持部は、付勢手段によって前記コードが通過する通路を狭めることによって前記コードを保持するように構成される、コード保持装置。
【請求項７】
請求項１〜請求項６の何れか１つに記載のコード保持装置であって、
前記係止部は、前記コードの結び目、又は前記コードに固定された別部品によって構成されている、コード保持装置。
【請求項８】
請求項１〜請求項７の何れか１つに記載のコード保持装置であって、
前記保持部材は、前記コードを収容可能なコード収容溝を備える、コード保持装置。
【請求項９】
請求項１〜請求項７の何れか１つに記載のコード保持装置であって、
回転部材を備え、
前記回転部材は、前記保持部材に相対回転可能に取着され、
前記回転部材は、前記係止部が通過可能な挿通部を備える、コード保持装置。
【請求項１０】
請求項９に記載のコード保持装置であって、
前記保持部材は、嵌合孔を備え、
前記回転部材は、前記嵌合孔に挿入されて前記保持部材に嵌合される、コード保持装置。
【請求項１１】
請求項１〜請求項１０の何れか１つに記載のコード保持装置を備える遮蔽装置であって、
前記形材は、ボトムレールであり、
前記コードは、昇降コードである、遮蔽装置。
【発明の詳細な説明】
【技術分野】
【０００１】
本発明は、コードを保持可能なコード保持装置、及びこのコード保持装置を備える遮蔽装置に関する。
【背景技術】
【０００２】
遮蔽装置においては、ヘッドボックスから吊り下げられる遮蔽材の下端にボトムレールが配置され、ボトムレールに取着された昇降コードをヘッドボックス内への引き込み及びヘッドボックスからの引き出しを行うことによって、ボトムレールを昇降させることにより遮蔽材を昇降させている。
【０００３】
このような遮蔽装置においては、ヘッドボックスから延びる昇降コードの長さによってボトムレールの下限位置が決定されるが、設置現場においてボトムレールの下限位置を微調整する必要がある場合がある。
【０００４】
ボトムレールの下限位置を調整する手段として、特許文献１には、保持部材の溝部に昇降コードを上から押し込んで保持する高さ調整装置が開示されている。
【先行技術文献】
【特許文献】
【０００５】
【特許文献１】特許６１８４４０７号公報
【発明の概要】
【発明が解決しようとする課題】
【０００６】
特許文献１に記載の構成では、昇降コードの結び目が溝部を通過することができないので、昇降コードを高さ調整装置から外したい場合には、昇降コードの結び目を解く必要があり、煩わしい。
【０００７】
本発明はこのような事情に鑑みてなされたものであり、コードを容易に取り外すことが可能なコード保持装置を提供するものである。
【課題を解決するための手段】
【０００８】
本発明によれば、コードと、形材と、保持部材を備え、前記保持部材は、前記形材内に配置され、前記形材と前記保持部材の間は、前記コードの係止部が通過可能に構成されている、コード保持装置が提供される。
【０００９】
本発明においては、形材と保持部材の間をコードの係止部が通過可能であるので、コードを容易に取り外すことができる。
【００１０】
以下、本発明の種々の実施形態を例示する。以下に示す種々の実施形態は、互いに組み合わせ可能である。
好ましくは、前記記載のコード保持装置であって、前記係止部を保持する保持部を備える、コード保持装置である。
好ましくは、前記記載のコード保持装置であって、前記保持部は、前記保持部材に設けられる、コード保持装置である。
好ましくは、前記記載のコード保持装置であって、前記保持部は、スリットに前記コードを挿通させて前記コードを保持するように構成される、コード保持装置である。
好ましくは、前記記載のコード保持装置であって、前記保持部は、複数の部材の係合によって前記コードを挟持することによって前記コードを保持するように構成される、コード保持装置である。
好ましくは、前記記載のコード保持装置であって、前記保持部は、付勢手段によって前記コードが通過する通路を狭めることによって前記コードを保持するように構成される、コード保持装置である。
好ましくは、前記記載のコード保持装置であって、前記係止部は、前記コードの結び目、又は前記コードに固定された別部品によって構成されている、コード保持装置である。
好ましくは、前記記載のコード保持装置であって、前記保持部材は、前記コードを収容可能なコード収容溝を備える、コード保持装置である。
好ましくは、前記記載のコード保持装置であって、回転部材を備え、前記回転部材は、前記保持部材に相対回転可能に取着され、前記回転部材は、前記係止部が通過可能な挿通部を備える、コード保持装置である。
好ましくは、前記記載のコード保持装置であって、前記保持部材は、嵌合孔を備え、前記回転部材は、前記嵌合孔に挿入されて前記保持部材に嵌合される、コード保持装置である。
好ましくは、前記記載のコード保持装置を備える遮蔽装置であって、前記形材は、ボトムレールであり、前記コードは、昇降コードである、遮蔽装置である。
【図面の簡単な説明】
【００１１】
【図１】本発明の第１実施形態のプリーツスクリーン１の正面図である。
【図２】図１の右側面図である。
【図３】図１中のボトムレール７近傍の斜視図である。
【図４】図３からボトムレール７の一部を除去した斜視図である。
【図５】図４の分解斜視図である。
【図６】図６Ａは、保持部材２３に回転部材２５を装着された状態の右側面図であり、図６Ｂは、図６Ａ中のＡ−Ａ断面図である。
【図７】保持部材２３を示し、図７Ａ〜図７Ｂは斜視図であり、図７Ｃは、右側面図である。
【図８】回転部材２５を示し、図８Ａ〜図８Ｂは斜視図であり、図８Ｃは、右側面図である。
【図９】図９Ａは、図３の平面図であり、図９Ｂは、レール２９に変更な方向からみた図である。
【図１０】図９Ａ中のＢ−Ｂ断面図である。
【図１１】図１１Ａは、昇降コード１１をスリット２３ｓから外した状態の斜視図であり、図１１Ｂは、図１１Ａを矢印Ｘ方向から見た図である。
【図１２】本発明の第２実施形態の保持部を示し、図１２Ａ及び図１２Ｂは、それぞれ、第１及び第２部材５６，５７の係合前及び係合後の状態を示す。
【図１３】本発明の第３実施形態の保持部を示し、図１３Ａ及び図１３Ｂは、それぞれ、第１及び第２部材５６，５７の係合前及び係合後の状態を示す。
【図１４】本発明の第４実施形態の保持部を示す斜視図である。
【図１５】本発明の第４実施形態の保持部であって、貫通孔５８ｂ，５９ｂの中心が一致している状態を示し、図１５Ａは斜視図であり、図１５Ｂは、図１５Ａを矢印Ｘ方向から見た図である。
【図１６】本発明の第４実施形態の保持部であって、貫通孔５８ｂ，５９ｂの中心が一致していない状態し、図１６Ａは斜視図であり、図１６Ｂは、図１６Ａを矢印Ｘ方向から見た図であり、図１６Ｃは、図１６Ｂから昇降コード１１及び係止部３１を除いた状態を示す。
【発明を実施するための形態】
【００１２】
以下、図面を用いて、本発明の種々の実施形態を説明する。以下に示す種々の実施形態は、互いに組み合わせ可能である。
【００１３】
１．第１実施形態
図１〜図１１を用いて、本発明の第１実施形態のプリーツスクリーン（「遮蔽装置」の一例）１について説明する。
【００１４】
１−１．全体構成
ヘッドボックス３には、上下方向にジグザグ状に折り曲げ可能としスクリーン５の一端が取着されており、スクリーン５の他端は、一面に開口部を有するボトムレール７に取着されている。スクリーン５は、生地押さえ９を介して、ヘッドボックス３及びボトムレール７へ取着されている。
【００１５】
昇降コード１１は、ヘッドボックス３から垂下され、スクリーン５に設けられた貫通孔１３に挿通され、ボトムレール７を吊り下げ支持する。昇降コード１１の一端には、イコライザ１４を介して、操作コード１５が連結されている。イコライザ１４がコード出口１９の縁に当接することによって、ボトムレール７の下限位置に決定される。
【００１６】
昇降コード１１の他端は、ボトムレール７側では、生地押さえ９に形成された貫通孔を通じて、コード保持装置２１によって保持される。
【００１７】
１−２．コード保持装置２１の詳細
以下、図３〜図１１を用いて、コード保持装置２１の詳細について説明する。コード保持装置２１は、昇降コード（「コード」の一例）１１と、ボトムレール（「形材」の一例）７と、保持部材２３と、回転部材２５を備える。
【００１８】
＜保持部材２３＞
図７Ｃに示すように、保持部材２３は、ボトムレール７内に配置される。保持部材２３は、その全長に渡ってコード収容溝３３を有しており、このコード収容溝３３に昇降コード１１が収容される。また、コード収容溝３３は、ボトムレール７側に向いているので、昇降コード１１は、コード収容溝３３内において、保持部材２３とボトムレール７の間に保持される。
【００１９】
図５に示すように、ボトムレール７の幅方向中央には、レール２９が設けられている。図７Ｃに示すように、保持部材２３は、コード収容溝３３よりもボトムレール７側に、レール保持溝３５を有している。レール保持溝３５は、コード収容溝３３に連通し且つコード収容溝３３に平行に延びる。保持部材２３は、レール保持溝３５にレール２９を挿入することによってレール２９に取り付けられる。このような構成により、図９Ｂに示すように、昇降コード１１は、コード収容溝３３の周壁とレール２９とで囲まれた空間に保持される。
【００２０】
図７Ａに示すように、保持部材２３には、スリット（「保持部」の一例）２３ｓが設けられている。スリット２３ｓは、保持部材２３の上壁２３ｔに設けられている。スリット２３ｓの一端にコード収容部２３ａが設けられている。スリット２３ｓは、昇降コード１１の直径よりも幅が狭い。このため、昇降コード１１を圧縮変形させながらスリット２３ｓに挿通し、図４に示すように、昇降コード１１をコード収容部２３ａに導く。コード収容部２３ａは、スリット２３ｓよりも幅広になっているので、昇降コード１１は、コード収容部２３ａにおいて圧縮状態が解除される。このため、昇降コード１１がコード収容部２３ａから外れにくくなっている。
【００２１】
図４に示すように、昇降コード１１の先端近傍には、係止部３１（例：昇降コード１１の結び目）が設けられている。コード収容部２３ａは、係止部３１が通過できないように構成されているので、係止部３１が上壁２３ｔに当接することによって昇降コード１１が引き抜かれることが阻止される。図１１Ｂに示すように、コード収容溝３３は、係止部３１が通過可能に構成されているので、係止部３１がコード収容溝３３の縁によって係止されることがない。
【００２２】
図７Ｂに示すように、保持部材２３は、コード収容溝３３を分断する位置に（例：コード収容溝３３の長手方向の中央に）、回転部材２５に嵌合する嵌合孔３７を備える。
【００２３】
図７Ａに示すように、スリット２３ｓは、保持部材２３の長手方向の両端近傍のそれぞれに設けられている。左側のスリット２３ｓは、図４に示すように、昇降コード１１が右側からコード収容溝３３に挿入された場合に昇降コード１１を係止するために用いられ、右側のスリット２３ｓは、昇降コード１１が左側からコード収容溝３３に挿入された場合に昇降コード１１を係止するために利用可能である。
【００２４】
＜回転部材２５＞
回転部材２５は、保持部材２３に相対回転可能に取着されている。回転部材２５の回転に伴って昇降コード１１をボトムレール７内に引きこむ引き込み量を変化させることによってボトムレール７の下限位置を調整することができる。下限位置の調整機能が不要な場合には、回転部材２５は省略可能である。
【００２５】
図８Ｃに示すように、回転部材２５は、基部３９と、この基部３９から延びる先端部４１と、基部３９から半径方向に突出する（言い換えると、基部３９よりも半径が大きい）フランジ部４２を備える。先端部４１には半径方向に突出する爪部４３が設けられており、回転部材２５を嵌合孔３７に挿入したときに爪部４３が保持部材２３の上壁２３ｔに係合して、回転部材２５が保持部材２３から分離されることを阻止する。先端部４１には、昇降コード１１を通過させるコード収容溝４５を備えている。図１１Ｂに示すように、コード収容溝４５は、係止部３１が通過可能に構成されているので、係止部３１がコード収容溝４５の縁によって係止されることがない。
【００２６】
回転部材２５が保持部材２３に嵌合され、昇降コード１１がコード収容溝３３，４５に収容された状態で回転部材２５を回転させると、昇降コード１１が回転部材２５の先端部４１の昇降コード巻取位置４９に巻き取られる。そして、巻き取られた分だけ、昇降コード１１がボトムレール７内に引きこまれてボトムレール７の下限位置が上昇する。従って、回転部材２５の回転によってボトムレール７の下限位置の調整が可能である。回転部材２５の基部３９の外面側には、回転操作部２７が設けられており、この回転操作部２７により回転部材２５の回転操作が可能になっている。
【００２７】
図５に示すように、ボトムレール７は、保持部材２３の設置面（つまり、底面）に貫通孔５１を有しており、回転部材２５は、この貫通孔５１を通じてボトムレール７内に挿入される。
【００２８】
図６Ｂに示すように、回転部材２５と保持部材２３が周方向の複数箇所で係合するようにしており、この係合によって昇降コード１１の巻き戻しを阻止している。具体的には、図６Ｂ及び図７Ｂに示すように、保持部材２３には、係合凹部５３が４５度間隔で６つ設けられている。また、図６Ｂ及び図８Ｃに示すように、回転部材２５には、基部３９の周囲に係合凸部５５が９０度間隔で４つ設けられている。係合凹部５３と係合凸部５５は、４５度の回転毎に複数箇所で係合され、昇降コード１１の巻き戻しを阻止している。なお、係合凹部５３と係合凸部５５の位置及び数は、適宜変更可能であり、凹部と凸部を入れ替えてもよい。
【００２９】
１−３．昇降コード１１の脱着方法
＜昇降コード１１の取り外し＞
昇降コード１１をスリット２３ｓから離脱させると、図１１Ａに示す状態となる。コード収容溝３３，４５は、係止部３１が通過可能に構成されているので、係止部３１がコード収容溝３３，４５を通過するように、昇降コード１１を図１１Ａの矢印Ａ方向に引っ張ると、昇降コード１１を保持部材２３から取り外すことができる。
【００３０】
スクリーン５の貫通孔１３は、係止部３１が通過可能に構成されており、係止部３１にスクリーン５の開口部を通過させることによって、昇降コード１１をスクリーン５から離脱させることができる。
【００３１】
従来技術では、昇降コード１１を取り外すには、結び目を解く等の面倒な作業が必要であったが、本実施形態は、ボトムレール７と保持部材２３の間を昇降コード１１の係止部が通過可能になっているので、面倒な作業を行うことなく、昇降コード１１を取り外すことが可能である。
【００３２】
＜昇降コード１１の取り付け＞
昇降コード１１の取り付けは、昇降コード１１の先端が、スクリーン５の貫通孔１３、コード収容溝３３，４５、及びスリット２３ｓを通過するように昇降コード１１の先端を移動させることによって行うことができる。
【００３３】
２．第２実施形態
図１２を用いて、本発明の第２実施形態について説明する。本実施形態は、第１実施形態に類似しており、保持部の構成の違いが主な相違点である。以下、相違点を中心に説明する。
【００３４】
第１実施形態では、保持部材２３に設けられたスリット２３ｓが昇降コード１１の係止部を保持する保持部として機能していたが、本実施形態では、保持部は、複数の部材の係合によって昇降コード１１を挟持することによって昇降コード１１を保持するように構成されている。
【００３５】
具体的には、保持部は、第１及び第２部材５６，５７を有する。図１２Ｂに示すように、第１及び第２部材５６，５７で昇降コード１１を挟持することによって、昇降コード１１が第１及び第２部材５６，５７によって保持されて、第１及び第２部材５６，５７から抜けることが阻止される。昇降コード１１を挟持する際に、昇降コード１１を屈曲させることによって、昇降コード１１をより一層抜けにくくすることが好ましい。
【００３６】
第１及び第２部材５６，５７は、保持部材２３とは別の部材であってもよく、第１及び第２部材５６，５７の一方が保持部材２３の一部であってもよい。この場合、保持部材２３と別の部材を係合させることによって昇降コード１１を挟持する。
【００３７】
第１及び第２部材５６，５７は、ボトムレール７に固定されていてもいなくてもよい。一例では、第１部材５６をボトムレール７に固定し、ボトムレール７に設けた貫通孔を通じて第２部材５７をボトムレール７に挿入して第１部材５６と係合させることができる。
【００３８】
別の例では、第１及び第２部材５６，５７をボトムレール７外で係合させた後に、ボトムレール７に設けた貫通孔を通じて第１及び第２部材５６，５７をボトムレール７内に挿入するようにしてもよい。
【００３９】
３．第３実施形態
図１３を用いて、本発明の第３実施形態について説明する。本実施形態は、第２実施形態に類似しており、保持部の構成の違いが主な相違点である。以下、相違点を中心に説明する。
【００４０】
第２実施形態では、係止部３１が第２部材５７内に収容されていたが、本実施形態では、係止部３１が第２部材５７外に配置されている。本実施形態でも、第１及び第２部材５６，５７で昇降コード１１を挟持することによって、昇降コード１１が第１及び第２部材５６，５７によって保持される。
【００４１】
４．第４実施形態
図１４〜図１６を用いて、本発明の第４実施形態について説明する。本実施形態は、第２実施形態に類似しており、保持部の構成の違いが主な相違点である。以下、相違点を中心に説明する。
【００４２】
本実施形態では、保持部は、付勢手段によって昇降コード１１が通過する通路を狭めることによって昇降コード１１を保持するように構成されている。
【００４３】
具体的には、図１４に示すように、保持部は、ケース５８と、摺動部材５９と、付勢手段６０を備える。摺動部材５９及び付勢手段６０は、ケース５８内に収容される。付勢手段６０は、コイルバネで構成され、一端がケース５８の内側面５８ａに当接し、他端が摺動部材５９の側面５９ａに当接するように配置される。
【００４４】
ケース５８には、貫通孔５８ｂが設けられ、摺動部材５９には、貫通孔５９ｂが設けられている。貫通孔５８ｂ及び５９ｂは、それぞれ、昇降コード１１の係止部３１が通過可能に構成されている。
【００４５】
貫通孔５８ｂ及び５９ｂは、図１５に示すように、摺動部材５９に対して外力を加えて摺動部材５９をケース５８内に押し込んだ状態のときに、同心になるように構成されている。この状態では、係止部３１が貫通孔５８ｂ，５９ｂを通過可能であるので、昇降コード１１を保持部に対して着脱可能になる。
【００４６】
図１５の状態では、摺動部材５９は、側面５９ａが内側面５８ａから離れる方向に付勢されているので、摺動部材５９に加えていた外力を除くと、付勢力によって摺動部材５９が移動して、図１６に示すように、貫通孔５８ｂ，５９ｂの中心が互いにずれる。この状態では、係止部３１は貫通孔５８ｂ，５９ｂを通過可能ではないので、係止部３１が保持部によって保持される。
【００４７】
ケース５８は、保持部材２３の一部であってもよく、保持部材２３とは別の部材であってもよい。摺動部材５９は、押圧部５９ｃがボトムレール７に設けた貫通孔を通じて操作可能になるように配置することが好ましい。
【００４８】
なお、係止部３１は、摺動部材５９内部に配置してもよい。
【００４９】
５．その他実施形態
本発明は、以下の態様でも実施可能である。
・プリーツスクリーン以外にも、ローマンシェードやアコーディオンカーテンにも適用可能である。
・アコーディオンカーテンに適用する場合、保持部材２３や保持部を先頭框（「形材」の一例）に配置することができる。この場合、アコーディオンカーテンを開閉するための開閉コード（「コード」の一例）の係止部が、先頭框と保持部材の間を通過可能に構成される。
・スリット２３ｓの数や開口方向は適宜変更可能である。
・係止部３１は、昇降コード１１に別部品を固定することによって構成してもよい。固定方法としては、カシメ、溶着、係合などが挙げられる。
【符号の説明】
【００５０】
３      ：ヘッドボックス
５      ：スクリーン
７      ：ボトムレール
９      ：生地押さえ
１１    ：昇降コード
１３    ：貫通孔
１４    ：イコライザ
１５    ：操作コード
１９    ：コード出口
２１    ：コード保持装置
２３    ：保持部材
２３ａ  ：コード収容部
２３ｓ  ：スリット
２３ｔ  ：上壁
２５    ：回転部材
２７    ：回転操作部
２９    ：レール
３１    ：係止部
３３    ：コード収容溝
３５    ：レール保持溝
３７    ：嵌合孔
３９    ：基部
４１    ：先端部
４２    ：フランジ部
４３    ：爪部
４５    ：コード収容溝
４９    ：昇降コード巻取位置
５１    ：貫通孔
５３    ：係合凹部
５５    ：係合凸部
５６    ：第１部材
５７    ：第２部材
５８    ：ケース
５８ａ  ：内側面
５８ｂ  ：貫通孔
５９    ：摺動部材
５９ａ  ：側面
５９ｂ  ：貫通孔
５９ｃ  ：押圧部
６０    ：付勢手段
【図１】
2019206889.tif 000003
【図２】
2019206889.tif 000004
【図３】
2019206889.tif 000005
【図４】
2019206889.tif 000006
【図５】
2019206889.tif 000007
【図６】
2019206889.tif 000008
【図７】
2019206889.tif 000009
【図８】
2019206889.tif 000010
【図９】
2019206889.tif 000011
【図１０】
2019206889.tif 000012
【図１１】
2019206889.tif 000013
【図１２】
2019206889.tif 000014
【図１３】
2019206889.tif 000015
【図１４】
2019206889.tif 000016
【図１５】
2019206889.tif 000017
【図１６】
2019206889.tif 000018